(57)【要約】      （修正有）【課題】不定形状の混合物からなるゴミ類等を多段的に順次効率よく破砕し、最終的に極めて細かい砕片にすることができる破砕機を提供する。【解決手段】上段のホッパー形状部１６と下段の円筒形状部１７が一体的に形成された本体ケース１５内に垂直に配置された螺状羽根７１を有するスクリュー軸７の下端部に掃海刃８と二重の回転刃９を固定し、本体ケースに固定刃１８を二重に固定してなり、スクリュー軸の回転に伴い不定形状混合物からなるゴミ類等が本体ケースの下方に落下する過程において順次に細かく砕片化されて破砕されるようにしたことを特徴とする。【選択図】図２
2009262120.tif 000002
【特許請求の範囲】
【請求項１】
上段のホッパー形状部と下段の円筒形状部が一体的に形成された本体ケース内に垂直に配置された螺状羽根を有するスクリュー軸の下端部に掃海刃と二重の回転刃を固定し、本体ケースに固定刃を二重に固定し、スクリュー軸の回転に伴い、不定形状混合物からなるゴミ類等を下方に落下させながら破砕または擂り潰す構成からなることを特徴とする破砕機。
【請求項２】
モーター保持台に固定されたモーターの駆動力を、軸継手部を介して駆動軸に伝動し、駆動軸の回転に伴い、ギヤを介してスクリュー軸を回転させるように構成したことを特徴とする請求項１記載の破砕機。
【請求項３】
本体ケースの下段の円筒形状部の内側に、スクリュー軸の螺状羽根間に位置するように固定刃を突設させたことを特徴とする請求項１記載の破砕機。
【請求項４】
不定形状混合物からなるゴミ類等が本体ケースの下方に落下する過程において、順次に細かく砕片化されて破砕されるように構成したことを特徴とする請求項１記載の破砕機。
【発明の詳細な説明】
【技術分野】
【０００１】  本発明は破砕機に関するもので、特に不定形状の混合物からなるゴミ類等を多段的に順次効率よく破砕し、最終的に極めて細かい砕片にすることを目的とした破砕機に関するものである。
【背景技術】
【０００２】    従来、ゴミ処理機等の前段処理装置として、その処理を迅速かつ確実に実行する手段として、ゴミをカットするカッター等が開発され種々提案されているが、より細かくカットし、直径１ｍｍ以下のサイズまで擂り潰すことが理想的である。【０００３】  しかし「ゴミ」の性質上、その形状や重量等はまちまちで一定ではなく、不特定形状や重量の混合体であり、特に破砕と擂り潰しに困難を極めるのは，羽毛や紙や薄皮の野菜等のような非常に軽くて表面積の大きいもののカットやミキシングである。【０００４】  このようないわゆる一般的なゴミ（生ゴミ）に見られるような形状や重さや硬さ等が広範囲に及ぶものを同時に処理してしまうような破砕機は現在までに提供されていない。【０００５】  特許文献１の特開２００２−２８６２２号公報は、開閉自在な連通口を設けた仕切板によって処理槽を上下段に分離して、上段を発酵室、下段を乾燥室とし、発酵室に投入した生ゴミを攪拌翼で攪拌することにより発酵処理し、連通口を開口することにより発酵処理物を乾燥処理するものであった。【０００６】  特許文献２の特開２００４−２９８７７３号公報は、処理槽の底床板中央から起立する回転軸と、回転軸を中心として径方向外側へ延びる羽根部を有し、主カッターを形成する複数の固定刃と、回転方向に向かって次第に高く傾斜した上下攪拌用の傾斜板とを備えた生ゴミ処理装置である。【０００７】
【特許文献１】  特開２００２−２８６２２号公報
【特許文献２】  特開２００４−２９８７７３号公報
【発明の開示】
【発明が解決しようとする課題】
【０００８】    前記するような従来の生ゴミ処理機では、いずれの場合においても、順次カットしながら擂り潰し、次第に細かく破砕できるものではなく、本発明でこの問題点を解決することが課題である。
【課題を解決するための手段】
【０００９】  上段のホッパー形状部と下段の円筒形状部が一体的に形成された本体ケース内に垂直に配置された螺状羽根を有するスクリュー軸の下端部に掃海刃と二重の回転刃を固定し、本体ケースに固定刃を二重に固定し、スクリュー軸の回転に伴い、不定形状混合物からなるゴミ類等を下方に落下させながら破砕または擂り潰す構成からなることを特徴とし、モーター保持台に固定されたモーターの駆動力を、軸継手部を介して駆動軸に伝動し、駆動軸の回転に伴い、ギヤを介してスクリュー軸を回転させるように構成したことを特徴とし、本体ケースの下段の円筒形状部の内側に、スクリュー軸の螺状羽根間に位置するように固定刃を突設させたことを特徴とし、且つ、不定形状混合物からなるゴミ類等が本体ケースの下方に落下する過程において、順次に細かく砕片化されて破砕されるように構成したことを特徴とする破砕機を提供する。
【発明の効果】
【００１０】  本発明の破砕機によれば、不定形混合物からなる生ゴミが多段的に破砕されて擂り潰されるので、細かく砕片化されて破砕されるように構成されているので、細かく砕片化されて破砕された生ゴミの後処理が容易となる。
【発明を実施するための最良の形態】
【００１１】  以下、図面に基づき、本発明の破砕機について具体的に説明する。【００１２】  図面において、図１は本発明破砕機の全体斜視図である。図２は本発明破砕機の全体断面図である。図３はスクリューの正面図である。図４は上段回転刃の平面図である。図５は上段回転刃の正面図である。図６は回転刃の下面図である。図７は回転刃の正面図である。図８は上段固定刃の平面図である。図９は上段固定刃の正面図である。図１０は下段固定刃の平面図である。図１１は下段固定刃の正面図である。【００１３】  本発明破砕機の全体の構成は、図１に示すように、本体ケース１５は上段のホッパー形状部１６と下段の円筒形状部１７とが一体的に形成されており、これにモーター１が直結されており、このモーター１のトルクは８Ｎ−ｍ以上に設定され、回転数は１５０ｒｐｍ以上に設定されている。【００１４】  上段のホッパー形状部１６と下段の円筒形状部１７とが一体的に形成された本体ケース１５内にスクリュー軸７が回転自在に垂直に配置されており、該スクリュー軸７には図３に示すように螺状羽根７１が固定され、図２に示すようにスクリュー軸７の下端部に掃海刃８と二重の回転刃９、１３が多段式に固定されている。【００１５】  モーター保持台２に固定されたモーター１の駆動力を、軸継手部３を介して駆動軸６に伝動し、ベアリングケース４内のベアリングに保持された駆動軸６の回転に伴い、ギヤ５を介してスクリュー軸７を回転させるように構成されている。【００１６】  図１乃至図２に示すように、駆動軸６は両端部をベアリングケース４内のベアリング軸受けに保持され、中央部でギヤ５を介してスクリュー軸７を回転させることができる。【００１７】  図２に示すように、本体ケース１５内の円筒形状部１７内には固定刃１０、１４が二重に固定されており、二重の回転刃９及び回転刃１３と固定刃１０、１４とはそれぞれ対応して摺り合わせ状態に配置されている。【００１８】  図８乃至図９に示すように、固定刃１０は、中心より十字状の延長部１０１から外周部１０２に一体的に形成され、本体ケース１５内の円筒形状部１７の外側よりネジ部１０３によって、強固に固定されており、延長部１０１には複数の孔部１１が形成されている。【００１９】  図１０乃至図１１に示すように固定刃１８は円板状に形成されており、多数の孔部１９が形成されており、本体ケース１５内の円筒形状部１７の外側よりネジ部２０によって強固に固定されている。【００２０】  スクリュー軸７の回転に伴い螺状羽根７１によって、ホッパー形状部１６の開口部より投入された不定形状混合物からなるゴミ類等は下方へ引きずり込まれ、軽くて薄い形状のものでも、サイクロン効果により強制的に下方へ引き込まれる。【００２１】  図２に示すように、本体ケース１５の下段の円筒形状部１７の内側に、スクリュー軸７の螺状羽根７１間に位置するように固定刃１８が突設されており、この過程において、該固定刃１８によって３ｃｍ以上の形状の大きいゴミは１ｃｍ以下にカットされる。【００２２】  １ｃｍ以下にカットされたゴミは、ボス８１にてスクリュー軸７に固定された掃海刃８によって回転刃９の根元に押し付けられるが、この時、カットしきれなかった１ｃｍ以上のゴミは掃海刃８によって一旦上方に舞い上げられ、更に下に落ちてカットされることが繰り返される。【００２３】  図４に示すように、掃海刃８の形状はスクリュー軸７に固定されたボス８１より四方に延長して、図５に示すように傾斜して形成されているので、カットしきれなかった１ｃｍ以上のゴミは一旦上方に舞い上げられ、更にゴミは下に落ちてカットされることが繰り返されることになる。【００２４】  回転刃９に押し付けられたゴミは固定刃１０との間でカット及び擂り潰し工程に入り、下方へ落ちるが、擂り潰しきれなかったゴミは上記の動作を繰り返しながら、再び下方へ落ちる。【００２５】  下段の回転刃１３に押し付けられたゴミは固定刃１４との間で再びカット及び擂り潰し工程が反復されて下方に排出される。【００２６】  上段の回転刃９と下段の回転刃１３は同じ形状であり、図６乃至図７に示すような形状をなし、中央部がスクリュー軸７に固定され、回転刃９乃至１３はその刃先部分がカーブして四方に延長されており、刃先部分のカーブ形状がゴミのカットをし易くしている。【００２７】  以上説明したように、不定形状混合物からなるゴミ類等が本体ケースの下方に落下する過程において、順次に細かく砕片化されて破砕されるように構成した本発明破砕機は、産業上の利用可能性が大きいものである。
【図面の簡単な説明】
【００２８】
【図１】  本発明破砕機の全体斜視図である。
【図２】  本発明破砕機の全体断面図である。
【図３】  スクリューの正面図である。
【図４】  上段回転刃の平面図である。
【図５】  上段回転刃の正面図である。
【図６】  回転刃の下面図である。
【図７】  回転刃の正面図である。
【図８】  上段固定刃の平面図である。
【図９】  上段固定刃の正面図である。
【図１０】  下段固定刃の平面図である。
【図１１】  下段固定刃の正面図である。
【符号の説明】
【００２９】１    モーター
２    モーター保持台
３    軸継手部
４    ベアリングケース
５    ギヤ
５１  ギヤカバー
６    駆動軸
７    スクリュー軸
７１  螺状羽根
８    掃海刃
８１  ボス
９    回転刃
９１  ボス
１０  固定刃
１０１  延長部
１０２  外周部
１０３  ネジ部
１１  孔部
１２  スペーサ
１３  回転刃
１４  固定刃
１５  本体ケース
１６  ホッパー形状部
１７  円筒形状部
１８  固定刃
１９  孔部
２０  ネジ部
【図１】
2009262120.tif 000003
【図２】
2009262120.tif 000004
【図３】
2009262120.tif 000005
【図４】
2009262120.tif 000006
【図５】
2009262120.tif 000007
【図６】
2009262120.tif 000008
【図７】
2009262120.tif 000009
【図８】
2009262120.tif 000010
【図９】
2009262120.tif 000011
【図１０】
2009262120.tif 000012
【図１１】
2009262120.tif 000013